(57)【要約】      （修正有）【課題】段ボール材を切断加工する際に、段ボール材からの紙粉の発生を防止する。【解決手段】段ボール材Ａをカッター等の切断手段１６で切断するに際して、切断手段１６で切断する段ボール材Ａの切断域を、切断手段１６で切断する前に、押圧して押し潰すようにした。また、段ボール材Ａを切断手段１６で切断した後に、段ボール材Ａの外周端部及び切断面部にコーティング剤を塗布してコーティング処理を施した。【選択図】図２
2006181950.tif 000002
【特許請求の範囲】
【請求項１】
段ボール材をカッター等の切断手段で切断するに際して、切断手段で切断する段ボール材の切断域を、切断手段で切断する前に、押圧して押し潰すようにしたことを特徴とする段ボール材における紙粉発生防止方法。
【請求項２】
段ボール材を切断手段で切断した後に、段ボール材の外周端部及び切断面部にコーティング剤を塗布してコーティング処理を施したことを特徴とする請求項１記載の段ボール材における紙粉発生防止方法。
【発明の詳細な説明】
【技術分野】
【０００１】
本発明は、段ボール材を切断加工する際に、段ボール材からの紙粉の発生を防止する段ボール材における紙粉発生防止方法に関する。
【背景技術】
【０００２】
近年、包装材料または緩衝材料として、紙を主体とし、燃えやすく、また水にも容易に溶け、再生が可能な段ボール材の使途が広がりつつある。
【発明の開示】
【発明が解決しようとする課題】
【０００３】
しかるに、この段ボール材を包装材または緩衝材として用いるにあたっての問題の１つとして、該段ボール材を切断加工する際に生じる紙粉がある。段ボール材の切断時に紙粉が発生すると、作業環境が悪化するとともに、多くの清掃作業を必要とし、作業効率が低下するといった問題がある。しかも、紙粉を付着したまま客先に納入した場合、大きなクレームが発生することになる。特に、被包装物が食品、薬品である場合には、食品、薬品に紙粉が付着する等の衛生的な面においてクレームが発生する。
【０００４】
本発明は、このような問題点に鑑みてなされたもので、その目的とするところは、段ボール材を切断加工する際に、段ボール材からの紙粉の発生を防止する段ボール材における紙粉発生防止方法を提供することにある。
【課題を解決するための手段】
【０００５】
上記目的を達成するため、本発明は、段ボール材をカッター等の切断手段で切断するに際して、切断手段で切断する段ボール材の切断域を、切断手段で切断する前に、押圧して押し潰すようにしたことを特徴とする。
【０００６】
このように段ボール材の切断域を、切断手段で切断する前に、押圧して押し潰すことによって、切断面部から紙粉を発生することなく段ボール材を切断することができる。これにより、作業環境を改善することができ、また、清掃作業を簡素化して作業効率の向上を図ることができる。
【０００７】
また、本発明は、段ボール剤を切断手段で切断した後に、段ボール材の外周端部及び切断面部にコーティング剤を塗布してコーティング処理を施すことによって、段ボール材の外周端部及び切断面部をコーティング剤で硬化させ、段ボール材の折り曲げ加工時や置き換えなどのハンドリング時さらには段ボール材の折り曲げ加工で形成された折り畳み状態の段ボール箱の搬送時及び箱組立て時等に、段ボール材の外周縁部及びスリット７の切断面部が異物と干渉することによって紙組織が崩壊し、紙粉が発生するような不都合が確実に防止される。
【発明の効果】
【０００８】
本発明によれば、段ボール材の切断域を予め押し潰して切断面からの紙粉の発生を防止するようにしたから、これにより、作業環境を改善することができ、また、清掃作業を簡素化して作業効率の向上を図ることができる。しかも、段ボール材の外周端部及び切断面部にコーティング剤の塗布で硬化するようにしたから、段ボール材の運送時や保管時や箱組立て時等に紙粉が発生するような不都合が確実に防止される。
【発明を実施するための最良の形態】
【０００９】
以下、本発明の一実施形態を図面に基づいて説明する。
【００１０】
図１は、本発明方法を用いて段ボール材から製造された例えば食品等の被包装物の包装に使用される段ボール箱を組み立てて作るための段ボール箱用紙Ａを示している。この段ボール箱用紙Ａは、一方向に連続した４つの側板１と、各側板１の上下に連設した蓋フラップ２及び底フラップ３と、一端の側板１の一端に連設したジョイントフラップ４とから構成されている。そして、隣接する側板１，１間及び一端の側板１とジョイントフラップ４との間には縦折り線５が施されるととともに、各側板１と蓋フラップ２及び底フラップ３との間に横折り線６，６が施され、かつ、隣接する蓋フラップ２，２間及び底フラップ３，３間にスリット７が形成されている。
【００１１】
かかる段ボール箱用紙Ａは、４つの側板１を縦折り線５から角筒状に折り曲げてジョイントフラップ４を反対側の側板１に接着した後、蓋フラップ２及び底フラップ３を横折り線６から順次内側に折り曲げて段ボール箱に組み立てられる。
【００１２】
段ボール箱用紙Ａを製造するに際しては、先ず、段ボール材を所定の形状に形成すると同時に蓋フラップ２及び底フラップ３を折り曲げるための横折り線６を形成し、引き続いて、スリット7を形成するための切断域を押し潰すと同時に側板１及びジョイントフラップ４を折り曲げるための縦折り線５を形成し、引き続いて、蓋フラップ２及び底フラップ３を四分割に形成するためのスリット７を形成するようになっている。尚、縦折り線５と横折り線６とを形成する順序は、上述した順序に限定されるものではない。
【００１３】
段ボール箱用紙Ａのスリット７を成形する加工機には、図２に示すように、段ボール箱用紙Ａのスリット７を形成するための切断域に湿気を付与する湿気付与手段１１と、ダンボール箱用紙Ａの切断域を押し潰すと同時に縦折り線５を形成する圧潰手段１３と、段ボール箱用紙Ａの切断域を切断してスリット７を形成する切断手段１６とが装備されている。
【００１４】
湿気付与手段１１は、水路パイプ１２が段ボール箱用紙Ａの供送ラインの上方に給送方向と直交して配設されており、水路パイプ１２には微細な水分を噴霧する噴霧口（図示せず）が所定の間隔、即ち、段ボール箱用紙Ａのスリット７に対応する間隔で設けられている。
【００１５】
圧潰手段１３は、一対の回転軸１４が段ボール箱用紙Ａの給送ラインを挟んで上下の関係で対向的に配設されており、両回転軸１４にはそれぞれ複数の圧潰ローラー１５が所定の間隔、即ち、段ボール箱用紙Ａのスリット７に対応する間隔で装着されており、上下のうち一方（図面では下方）の複数の圧潰ローラー１５の外周面にはそれぞれ周方向に沿って形成された環状の凸条１５ａが備えられている。
【００１６】
切断手段１６は、一対の回転軸１７，１８が段ボール箱用紙Ａの給送ラインを挟んで上下の関係で対向的に配設されており、上側の回転軸１７には外周面にカッター１９ａを備えた複数の切断ローラー１９が、下側の回転軸１８には外周面に周方向に沿って形成された切断ローラー１９のカッター１９ａを受け入れる環状の凹溝（図示せず）を備えた複数の受けローラー２０が所定の間隔、即ち、段ボール箱用紙Ａのスリット７に対応する間隔で装着されている。
【００１７】
このように構成した加工機において、横折り線６が施された段ボール箱用紙Ａを供給すると、該段ボール箱用紙Ａは湿気付与手段１１の水路パイプ１２の下方に送られ、この水路パイプ１２の噴霧口から微細な水分が段ボール箱用紙Ａの切断域に噴霧され、該切断域に湿気が付与される。湿気付与手段１１による段ボール箱用紙Ａの切断域への湿気付与の後、該段ボール箱用紙Ａは圧潰手段１３の上下の回転軸１４に装着されている圧潰ローラー１５間に送られ、この圧潰ローラー１５によって段ボール箱用紙Ａの縦折り線５を形成するための折曲域及びスリット７を形成するための切断域の上下面が挟持されるため、下方の圧潰ローラー１５の外周面に備えられた環状の凸条１５ａによって段ボール箱用紙Ａの縦折り線５を形成するための折曲域及びスリット７を形成するための切断域の下面が強く押圧される。これにより、段ボール箱用紙Ａの側板１及びジョイントフラップ４を折り曲げるための縦折り線５が形成されると同時にスリット７を形成するための切断域が押し潰される。圧潰手段１３の圧潰ローラー１５による段ボール箱用紙Ａの切断域の押し潰しの後、該段ボール箱用紙Ａは切断手段１６の上下の回転軸１７，１８に装着されている切断ローラー１９，受けローラー２０間に送られ、この切断ローラー１９の外周面に備えられたカッター１９ａによって段ボール箱用紙Ａの切断域を切断させてスリット７が形成されるようになっている。
【００１８】
このような加工機による切断工程の以降工程には、コーティング装置（図示せず）が設けられており、このコーティング装置によって段ボール箱用紙Ａの外周縁部及びスリット７の切断面部にコーティング剤を塗布してコーティング処理が施される。即ち、段ボール箱用紙Ａは、コーティング処理を施されることによって外周縁部及びスリット７の切断面部が硬化された状態で出荷されることになる。
【００１９】
以上のように、段ボール箱用紙Ａの切断域を切断してスリット７を形成する前に、湿気付与手段１１によって段ボール箱用紙Ａの切断域に湿気が付与されるともに、圧潰手段１３よって段ボール箱用紙Ａの切断域の上下面を押え付けて該切断域が押し潰されているため、切断手段１６によって段ボール箱用紙Ａの切断域を切断しても紙粉が発生することがない。これにより、作業環境を改善することができ、また、清掃作業を簡素化して作業効率の向上を図ることができる。
【００２０】
しかも、スリット加工機によってスリット７を形成した後に、段ボール箱用紙Ａの外周縁部及びスリット７の切断面部にコーティング剤を塗布してコーティング処理を施し、段ボール箱用紙Ａの外周縁部及びスリット７の切断面部をコーティング剤で硬化させているため、段ボール箱用紙Ａの折り曲げ加工時や置き換えなどのハンドリング時さらには段ボール箱用紙Ａの折り曲げ加工で形成された折り畳み状態の段ボール箱の搬送時及び箱組立て時等に、段ボール箱用紙Ａの外周縁部及びスリット７の切断面部が異物と干渉することによって紙組織が崩壊し、紙粉が発生するような不都合が確実に防止される。
【００２１】
以上、本発明に係る段ボール材の紙粉発生防止方法の一実施形態について説明したが、本発明に係る段ボール材の紙粉発生防止方法はこの実施形態に限定されない。例えば、上記実施形態では、段ボール箱用紙Ａのスリット７を形成する際の紙粉の発生を防止する場合について述べているが、段ボール材を所定の形状に切断する際に、その切断域を予め押し潰しておけば、段ボール材を打抜いても紙粉が発生することはない。
【００２２】
また、上記実施形態では、下方の圧潰ローラー１５に備えられた環状の凸条１５ａよって段ボール箱用紙Ａの側板１及びジョイントフラップ４を折り曲げるための縦折り線５を形成すると同時にスリット７を形成するための切断域を押し潰すようにしているが、上方の圧潰ローラー１５に環状の凸条１５ａを備え、上下両方の圧潰ローラー１５の環状の凸条１５ａによって段ボール箱用紙Ａの縦折り線５を形成するための折曲域及びスリット７を形成するための切断域の上下面を強く押圧して側板１及びジョイントフラップ４を折り曲げるための縦折り線５を形成すると同時にスリット７を形成するための切断域を押し潰すようにしても構わないし、上方の圧潰ローラー１５の環状の凸条１５ａによって段ボール箱用紙Ａの段ボール箱用紙Ａの縦折り線５を形成するための折曲域及びスリット７を形成するための切断域の上面が強く押圧して側板１及びジョイントフラップ４を折り曲げるための縦折り線５が形成されると同時にスリット７を形成するための切断域が押し潰すようにしても構わないし、ローラー以外で段ボール箱用紙Ａの切断域の上面又は下面もしくは上下面を押し潰すようにしても構わない。尚、ローラー以外で段ボールの切断領域を押し潰す方法として、例えば、ゴム、合成樹脂等からなる圧潰部材を段ボール材の切断領域にプレス等により強く押圧することにより、上記圧潰部材で段ボール材の切断領域を押し潰すようにしても構わない。この場合、段ボール材の切断領域を切断する工程以前の工程、例えば段ボール材に印刷する印刷工程等において上記圧潰部材で段ボール材の切断領域を押し潰すのが好ましい。
【００２３】
また、上記実施形態では、段ボール箱用紙Ａのスリット７を形成するための切断域を圧潰手段１３で押し潰す前にその切断域に湿気付与手段１１によって湿気を付与するようにしているが、圧潰手段１３で段ボール箱用紙Ａのスリット７を形成するための切断域を押し潰した後にその切断域に湿気付与手段１１によって湿気を付与しても構わないし、湿気付与手段１１によって湿気を付与しなくても構わない。
【００２４】
また、上記実施形態では、段ボール箱用紙Ａのスリット７を外周面にカッター１９ａを備えた切断ローラー１９によって切断して形成するようにしているが、プレス式のカッターによって切断してスリット７を形成することも構わない。この場合にも切断時には紙粉が発生することはない。
【００２５】
また、上記実施形態では、段ボール箱用紙Ａの外周縁部及びスリット７の切断面部にコーティング装置によってコーティング剤を塗布するようにしているが、人手によってコーティング剤を塗布することも構わない。
【００２６】
更に、上記実施形態では、段ボール箱を組み立てて作るための段ボール箱用紙Ａを製造する場合について述べているが、段ボール箱用紙以外の段ボール材の包装材または緩衝材でも構わない。
【図面の簡単な説明】
【００２７】
【図１】本発明方法を用いて段ボール材から製造される段ボール箱用紙の平面図である。
【図２】スリット加工機の簡略側面図である。
【符号の説明】
【００２８】
Ａ…段ボール箱用紙、１…側板、２…蓋フラップ、３…底フラップ、４…ジョイントフラップ、５…縦折り線、６…横折り線、７…スリット、１１…湿気付与手段、１２…水路パイプ、１３…圧潰手段、１４…回転軸、１５…圧潰ローラー、１６…切断手段、１７，１８…回転軸、１９…切断ローラー、２０…受けローラー
【図１】
2006181950.tif 000003
【図２】
2006181950.tif 000004